(57)【要約】【課題】見映えの悪化を防ぎつつ、押下ヘッド及び装着キャップの周方向に沿う相対的な位置を容易に決めることができる。【解決手段】有頂筒状の押下ヘッド３と、ポンプ２を内容物の収容された容器本体１０の口部１１に装着する装着キャップ４とを備え、装着キャップ４には、押下ヘッド３の内側に挿入される案内筒部４４が備えられ、押下ヘッド３の周壁部には、径方向の内側に向けて突出する位置決め突部３４が形成され、位置決め突部３４は、周壁部の下端縁より下方に突出しており、案内筒部４４には、その上端縁から下方に向けて延在し、かつ位置決め突部３４が挿入される位置決め孔４４ａが形成され、装着キャップ４には、位置決め突部３４、及び案内筒部４４を径方向の外側から囲繞し、かつ案内筒部４４の上端縁より下方に位置するとともに、押下ヘッド３の周壁部の下端縁より上方に位置する囲繞壁部４１を備える吐出容器１を提供する。【選択図】図１
2015160659.tif 000002
【特許請求の範囲】
【請求項１】
上方付勢状態で下降移動可能に立設されたステムを有するポンプと、
前記ステムの上端部に装着され内容物の吐出孔が形成された有頂筒状の押下ヘッドと、
前記ポンプを内容物の収容された容器本体の口部に装着する装着キャップと、
を備える吐出容器であって、
前記装着キャップには、前記押下ヘッドの内側に挿入される案内筒部が備えられ、
前記押下ヘッドの周壁部には、径方向の内側に向けて突出する位置決め突部が形成され、
該位置決め突部は、前記周壁部の下端縁より下方に突出しており、
前記案内筒部には、その上端縁から下方に向けて延在し、かつ前記位置決め突部が挿入される位置決め孔が形成され、
前記装着キャップには、前記位置決め突部、及び前記案内筒部を径方向の外側から囲繞し、かつ前記案内筒部の上端縁より下方に位置するとともに、前記押下ヘッドの周壁部の下端縁より上方に位置する囲繞壁部を備えることを特徴とする吐出容器。
【発明の詳細な説明】
【技術分野】
【０００１】
本発明は、吐出容器に関するものである。
【背景技術】
【０００２】
この種の吐出容器として、従来、例えば下記特許文献１に記載されているような、上方付勢状態で下降移動可能に立設されたステムを有するポンプと、ステムの上端部に装着される内容物の吐出孔が形成された有頂筒状の押下ヘッドと、ポンプを内容物の収容された容器本体の口部に装着する装着キャップと、を備え、装着キャップに、押下ヘッドが内側に挿入される案内筒部が備えられ、押下ヘッドの周壁部に径方向の外側に向けて突出する位置決め突部が形成され、案内筒部の内周面に位置決め凹部が形成された構成のものが知られている。
この吐出容器においては、押下ヘッドがステムから外れたときに、装着キャップの案内筒部の内側を上方から見て、位置決め孔を特定し、押下ヘッドの位置決め突部を位置決め孔に挿入しつつ、押下ヘッドをステムに装着する。
【先行技術文献】
【特許文献】
【０００３】
【特許文献１】特開２００２−６８２５５号公報
【発明の概要】
【発明が解決しようとする課題】
【０００４】
しかしながら、従来の吐出容器では、位置決め突部が押下ヘッドの外部に露呈しており、押下ヘッドをステムに装着した状態で見映えが悪くなるという問題があった。そのため、見映えの悪化を防ぎつつ、押下ヘッド及び装着キャップの周方向に沿う相対的な位置を容易に決めることについて改善の余地があった。
【０００５】
本発明は、このような事情に鑑みてなされたものであって、見映えの悪化を防ぎつつ、押下ヘッド及び装着キャップの周方向に沿う相対的な位置を容易に決めることができる吐出容器を提供することを目的とする。
【課題を解決するための手段】
【０００６】
上記の目的を達成するために、この発明は以下の手段を提供している。
本発明に係る吐出容器は、上方付勢状態で下降移動可能に立設されたステムを有するポンプと、前記ステムの上端部に装着され内容物の吐出孔が形成された有頂筒状の押下ヘッドと、前記ポンプを内容物の収容された容器本体の口部に装着する装着キャップと、を備える吐出容器であって、前記装着キャップには、前記押下ヘッドの内側に挿入される案内筒部が備えられ、前記押下ヘッドの周壁部には、径方向の内側に向けて突出する位置決め突部が形成され、該位置決め突部は、前記周壁部の下端縁より下方に突出しており、前記案内筒部には、その上端縁から下方に向けて延在し、かつ前記位置決め突部が挿入される位置決め孔が形成され、前記装着キャップには、前記位置決め突部、及び前記案内筒部を径方向の外側から囲繞し、かつ前記案内筒部の上端縁より下方に位置するとともに、前記押下ヘッドの周壁部の下端縁より上方に位置する囲繞壁部を備えることを特徴としている。
【０００７】
本発明に係る吐出容器によれば、位置決め突部が、押下ヘッドの周壁部から下方に向けて突出し、かつ位置決め孔が、案内筒部のうち、囲繞壁部より上方に位置する上端縁から下方に向けて延在しているので、押下ヘッドがステムから外れたときに、位置決め突部及び位置決め孔が、押下ヘッド及び装着キャップの外部に露呈することとなり、容易に視認することができる。したがって、押下ヘッドをステムに装着する際に、押下ヘッド及び装着キャップの相対的な周方向の位置を容易に決めることができる。
【０００８】
また、囲繞壁部が、位置決め突部、及び案内筒部を径方向の外側から囲繞し、かつ案内筒部の上端縁より下方に位置するとともに、押下ヘッドの周壁部の下端縁より上方に位置しているので、位置決め突部及び位置決め孔を囲繞壁部により覆わせることで、これらが外部に露呈するのを防ぐことが可能となり、押下ヘッドをステムに装着した状態において、前述の作用効果が奏される反面、見映えが悪化してしまうのを防ぐことができる。
【発明の効果】
【０００９】
本発明に係る吐出容器によれば、見映えの悪化を防ぎつつ、押下ヘッド及び装着キャップの周方向に沿う相対的な位置を容易に決めることができる。
【図面の簡単な説明】
【００１０】
【図１】本発明の実施形態による吐出容器の軸方向断面図である。
【図２】図１に示す吐出容器を位置決め突部側からみた構成を示す側面図である。
【図３】図１に示すＡ−Ａ線断面図であって、ポンプを省略した図である。
【発明を実施するための形態】
【００１１】
以下、本発明に係る吐出容器の実施形態について図面を参照して説明する。
【００１２】
図１に示すように、本実施形態の吐出容器１は、上方付勢状態で下降移動可能に立設されたステム２２を有するポンプ２と、ステム２２の上端部に装着され内容物の吐出孔３３Ａが形成された有頂筒状の押下ヘッド３と、ポンプ２を内容物の収容された容器本体１０の口部１１に装着する装着キャップ４と、を備えている。
【００１３】
これらステム２２、押下ヘッド３及び装着キャップ４は、それぞれの中心軸線を共通軸上に位置した状態で配設されている。以下、この共通軸をポンプ軸Ｏと称し、図１においてポンプ軸Ｏに沿う押下ヘッド３側を上側、その反対側を下側とする。また、ポンプ軸Ｏ方向から見た平面視において、ポンプ軸Ｏに直交する方向を径方向、ポンプ軸Ｏ回りで周回する方向を周方向と称する。
【００１４】
本実施形態におけるポンプ２は、内容物を収容したボトルなどの容器本体１０における円筒状の口部１１に装着キャップ４によって螺着される。ポンプ２は、円筒状のシリンダ部２１と、前記ステム２２と、コイルスプリング２３及び下弁部材（図示略）と、を備える。これらシリンダ部２１及びステム２２は、それぞれの中心軸線をポンプ軸Ｏ上に位置した状態で配設される。なお、ポンプ２は、公知のポンプ機構であり、種々のポンプ機構を用いることができる。
シリンダ部２１は、径方向の外側に突出するフランジ部２１ａの下面に配設された平面視で円環状のパッキン２４を介して口部１１に上方から当接している。
【００１５】
押下ヘッド３は、ステム２２を下方に押し込み操作する操作部材であり、ステム２２の上端部に装着されると共に、内部がステム２２内に連通している。
具体的には、押下ヘッド３は、天壁部３１Ａと周壁部３１Ｂとからなる有頂円筒状の本体筒３１と、周壁部３１Ｂの内側に配置され天壁部３１Ａから下方に向けて突設された嵌合筒３２と、嵌合筒３２から本体筒３１を貫通して径方向外側に延在する円筒状の吐出筒部３３と、を備えている。本体筒３１及び嵌合筒３２は、それぞれの中心軸線がポンプ軸Ｏと同軸に配置されている。
【００１６】
嵌合筒３２は、ステム２２の上端部に嵌合されており、その内部がステム２２内に連通している。
本体筒３１の周壁部３１Ｂは、装着キャップ４における外筒部４５（後述）の内側に配設されている。そして、本体筒３１は、押下ヘッド３の押し下げ操作に伴って外筒部４５の内側を下方移動する。
吐出筒部３３の内側は、嵌合筒３２の内側に連通しており、吐出筒部３３の先端開口部は、吐出孔３３Ａとされている。
【００１７】
押下ヘッド３の周壁部３１Ｂには、径方向の内側に向けて突出する位置決め突部３４が形成されている。位置決め突部３４は、図２及び図３に示すように、周壁部３１Ｂの下端縁３１ａより下方に突出しており、横断面視で、径方向の内側に向けて開口するコの字状又はＣ字状に形成され、その外周面が周壁部３１Ｂと段差なく連なり面一となっている。
位置決め突部３４は、周壁部３１Ｂの内周面に沿って上方に向けて天壁部３１Ａまで延在している。位置決め突部３４は、案内筒部４４の位置決め孔４４ａに沿って上下にスライド可能に設けられている。これにより、押下ヘッド３は装着キャップ４に対して回り止めがなされ、周方向の位置が決められている。
【００１８】
装着キャップ４は、容器本体１０の口部１１に装着されるキャップ体４０と、キャップ体４０を径方向の外側から囲繞する囲繞壁部４１と、を備えている。なお、キャップ体４０と囲繞壁部４１とは、一体に形成してもよい。
【００１９】
キャップ体４０は、容器本体１０の口部１１に螺着される螺着筒４２と、螺着筒４２の上端部から径方向の内側に向けて突設され、容器本体１０の口部１１における上端開口縁上にパッキン２４及びポンプ２の前記フランジ部２１ａを介して当接する環状の連結フランジ部４３と、この連結フランジ部４３の径方向内縁部から上方に向けて突設されるとともに、押下ヘッド３の内側に挿入される案内筒部４４と、案内筒部４４よりも径方向の外側に配置されて連結フランジ部４３から上方に向けて突設される外筒部４５と、を備えている。
【００２０】
螺着筒４２の外周面には、上下方向に延びる縦リブ４２ａが周方向に間隔をあけて複数形成されている。
連結フランジ部４３は、ポンプ２を容器本体１０の口部１１に装着した状態で、パッキン２４との間でフランジ部２１ａを上下方向に挟み込む。
案内筒部４４には、その上端縁４４ｂから下方に向けて延在し、かつ位置決め突部３４が挿入される位置決め孔４４ａが形成されている。
【００２１】
囲繞壁部４１は、位置決め突部３４、及び案内筒部４４を径方向の外側から囲繞し、かつ、その上端縁が案内筒部４４の上端縁４４ｂより下方に位置するとともに、押下ヘッド３の周壁部３１Ｂの下端縁３１ａより上方に位置する。
囲繞壁部４１は、上端部から径方向の内側に向けて突設される天壁４１Ａを有しており、この天壁４１Ａによって前記外筒部４５の上方を覆っている。囲繞壁部４１の内周面には、螺着筒４２の縦リブ４２ａの間に嵌まり込む突起片４１ａが径方向の内側に向けて突設され、周方向に間隔をあけて複数形成されている。これにより、囲繞壁部４１は、キャップ体４０に対して回り止めがなされている。
【００２２】
以上説明した本実施形態による吐出容器によれば、図１乃至図３に示すように、位置決め突部３４が、押下ヘッド３の周壁部３１Ｂから下方に向けて突出し、かつ案内筒部４４の位置決め孔４４ａが、案内筒部４４のうち、囲繞壁部４１より上方に位置する上端縁４４ｂから下方に向けて延在しているので、押下ヘッド３がステム２２から外れたときに、位置決め突部３４及び位置決め孔４４ａが、押下ヘッド３及び装着キャップ４の外部に露呈することとなり、例えば、横（径方向）から見た際に容易に視認することができる。
したがって、押下ヘッド３をステム２２に装着する際に、押下ヘッド３及び装着キャップ４の相対的な周方向の位置を容易に決めることができる。
【００２３】
また、囲繞壁部４１が、位置決め突部３４、及び案内筒部４４を径方向の外側から囲繞し、かつ案内筒部４４の上端縁４４ｂより下方に位置するとともに、押下ヘッド３の周壁部３１Ｂの下端縁３１ａより上方に位置しているので、位置決め突部３４及び位置決め孔４４ａを囲繞壁部４１により覆わせることで、これらが外部に露呈するのを防ぐことが可能となり、押下ヘッド３をステム２２に装着した状態において、前述の作用効果が奏される反面、見映えが悪化してしまうのを防ぐことができる。
【００２４】
なお、本発明の技術範囲は、上記実施形態に限定されるものではなく、本発明の趣旨を逸脱しない範囲において、種々の変更を加えることが可能である。
【００２５】
例えば、上述の実施形態では、位置決め突部３４が、横断面視で、径方向の内側に向けて開口するコの字状又はＣ字状に形成され、その外周面が周壁部３１Ｂと段差なく連なり面一となっているが、このような形状であることに限定されることはない。例えば、位置決め突部３４の外周面が周壁部３１Ｂに対して段差が形成されていてもよい。また、本実施形態では、位置決め突部３４が周壁部３１Ｂの内周面に沿って上方に向けて連続して延在しているが、内周面に沿って部分的、あるいは断続的に設けられていてもよい。
【００２６】
また、ポンプ２の構成は、上方付勢状態で下方移動可能に起立したステム２２を有していれば、適宜変更してもよい。
さらに、ポンプ２は、容器本体１０の口部１１に対して装着キャップ４を介して螺着されているが、アンダーカット係合など螺着以外の他の方法により容器本体１０に装着されてもよい。
【００２７】
また、上述の実施形態の位置決め孔４４ａは、案内筒部４４を径方向に貫通する形状であることに限定されることはない。要は、位置決め孔の形状として、案内筒部４４に対して位置決め突部３４が上下にスライド可能に挿入されればよいのであって、例えば案内筒部４４の径方向の外側に向けて開口する溝（凹部）であってもよい。
【００２８】
さらにまた、容器本体１０、押下ヘッド３及び装着キャップ４の形状、大きさなどの構成については、内容物などの条件に応じて適宜設定することができる。
【００２９】
その他、本発明の趣旨を逸脱しない範囲で、上記した実施形態における構成要素を周知の構成要素に置き換えることは適宜可能である。
【符号の説明】
【００３０】
１  吐出容器
２  ポンプ
３  押下ヘッド
４  装着キャップ
１０  容器本体
１１  口部
３１  本体筒
３１Ｂ  周壁部
３１ａ  下端縁
３２  嵌合筒
３３  吐出筒部
３４  位置決め突部
４０  キャップ体
４１  囲繞壁部
４２  螺着筒
４４  案内筒部
４４ａ  位置決め孔
４５  外筒部
Ｏ  ポンプ軸
【図１】
2015160659.tif 000003
【図２】
2015160659.tif 000004
【図３】
2015160659.tif 000005